(57)【要約】      （修正有）【課題】マットレスなどの患者支持装置の各空気袋を膨張させるための複数の空気源の制御システムを提供する。【解決手段】患者支持装置１０の制御システムが第一操作モードに従って動作する場合、第一空気源２２は一つ以上の主要部支持用空気袋１２に空気を供給し、第二空気源２４は一つ以上のマイクロクライメート空気袋に空気を供給する。第一および第二空気源２２、２４は、制御システムが第二操作モードに従って動作する場合、回転用空気袋１４、１６に空気を供給する。別の実施形態において、第一空気源は少なくとも一つの主要部支持用空気袋および少なくとも一つのマイクロクライメート空気袋に空気を供給する。第二空気源は、少なくとも一つの回転用空気袋の膨張専用である。【選択図】図１
2010246903.tif 000002
【特許請求の範囲】
【請求項１】
身体を支持する身体支持装置であって、
身体を支持するために膨張可能であり、第一空気袋および第二空気袋を有する空気袋一式と、
身体の片側に向かって身体の向きを変えるために膨張可能な少なくとも一つの回転用空気袋と、
第一空気源および第二空気源を有し、前記第一空気源が前記第一空気袋に空気を供給し、前記第二空気源が前記第二空気袋に空気を供給する第一操作モードを有し、前記第一および第二空気源の両方が前記少なくとも一つの回転用空気袋に空気を供給する第二操作モードを有する制御システムと
を備える身体支持装置。
【請求項２】
前記第二空気袋が前記第一空気袋の上に位置する、請求項１に記載の身体支持装置。
【請求項３】
前記少なくとも一つの回転用空気袋が前記第一空気袋と前記第二空気袋との間に位置する、請求項２に記載の身体支持装置。
【請求項４】
前記少なくとも一つの回転用空気袋が前記第一空気袋の下に位置する、請求項２に記載の身体支持装置。
【請求項５】
前記第二空気袋がローエアロス機能を有するマイクロクライメート制御用空気袋を備える、請求項１に記載の身体支持装置。
【請求項６】
前記制御システムが、前記第一空気源に結合された第一バルブと前記第二空気源に結合された第二バルブとを備え、前記第一バルブは前記第一空気源からの空気が前記第一空気袋に供給される第一の位置と前記第一空気源からの空気が前記少なくとも一つの回転用空気袋に供給される第二の位置とを有し、前記第二バルブは前記第二空気源からの空気が前記第二空気袋に供給される第三の位置と前記第二空気源からの空気が前記少なくとも一つの回転用空気袋に供給される第四の位置とを有する、請求項１に記載の身体支持装置。
【請求項７】
前記制御システムが第三バルブをさらに備え、前記少なくとも一つの回転用空気袋が右回転用空気袋と左回転用空気袋をさらに備え、前記第三バルブは前記第一および第二空気源から前記第三バルブによって収容された空気が前記右回転用空気袋に供給される第五の位置を有し、前記第三バルブは前記第一および第二空気源から前記第三バルブによって収容された空気が前記左回転用空気袋に供給される第六の位置を有する、請求項６に記載の身体支持装置。
【請求項８】
前記第一空気袋が複数の空気袋を備える、請求項１に記載の身体支持装置。
【請求項９】
前記第二空気袋が複数の空気袋を備える、請求項１に記載の身体支持装置。
【請求項１０】
前記第一および第二空気源がそれぞれ、ポンプ、圧縮機、または送風機のうち少なくとも一つを備える、請求項１に記載の身体支持装置。
【請求項１１】
前記少なくとも一つの回転用空気袋が左回転支援空気袋と右回転支援空気袋とを備え、前記制御システムは、前記制御システムの寝返り支援機能をユーザーが起動させるのに応じて、一回ごとに所定の時間の間、左回転および右回転用空気袋のうちの指定された一つを膨らんだ状態に膨張させることができる、請求項１に記載の身体支持装置。
【請求項１２】
前記少なくとも一つの回転用空気袋が左回転用空気袋と右回転用空気袋とを備え、前記制御システムは、前記制御システムの連続横方向ローテーションセラピー機能をユーザーが起動させるのに応じて、前記左回転および右回転用空気袋を繰り返しかつ交互に膨張および収縮させることができる、請求項１に記載の身体支持装置。
【請求項１３】
身体を支持する身体支持装置であって、
身体を支持するために膨張可能であり、第一空気袋および第二空気袋を有する空気袋一式と、
身体の片側に向かって身体の向きを変えるために膨張可能な少なくとも一つの回転用空気袋と、
第一空気源および第二空気源を有し、前記第一空気源からの空気が前記第一空気袋に供給される第一の位置と前記第一空気源からの空気が前記第二空気袋に供給される第二位置との間で移動可能である第一バルブを有し、前記第二空気源が前記少なくとも一つの回転用空気袋に結合され、前記第二空気源が前記少なくとも一つの回転用空気袋を収縮させるオフ状態を有し、前記第二空気源が前記少なくとも一つの回転用空気袋を膨張させるオン状態を有する、制御システムと
を備える身体支持装置。
【請求項１４】
前記第二空気袋が前記第一空気袋の上に位置する、請求項１３に記載の身体支持装置。
【請求項１５】
前記少なくとも一つの回転用空気袋が前記第一空気袋と前記第二空気袋との間に位置する、請求項１４に記載の身体支持装置。
【請求項１６】
前記少なくとも一つの回転用空気袋が前記第一空気袋の下に位置する、請求項１４に記載の身体支持装置。
【請求項１７】
前記第二空気袋がローエアロス機能を有するマイクロクライメート制御用空気袋を備える、請求項１３に記載の身体支持装置。
【請求項１８】
前記少なくとも一つの回転用空気袋が右回転用空気袋と左回転用空気袋とを備え、前記制御システムが前記第二空気源に結合された第二バルブを備え、前記第二バルブは、前記第二空気源がオン状態の場合に空気が前記第二空気源から前記右回転用空気袋に供給される第三の位置と、前記第二空気源がオン状態の場合に前記第二空気源からの空気が前記左回転用空気袋に供給される第四の位置とを有する、請求項１３に記載の身体支持装置。
【請求項１９】
前記第一空気袋または前記第二空気袋のうち少なくとも一つが複数の空気袋を備える、請求項１３に記載の身体支持装置。
【請求項２０】
前記第一および第二空気源がそれぞれ、ポンプ、圧縮機、または送風機のうち少なくとも一つを備える、請求項１３に記載の身体支持装置。
【発明の詳細な説明】
【技術分野】
【０００１】
本開示は、エアマットレスなどの身体支持面に関する。より具体的には、本開示は身体支持面の制御システムに関する。
【背景技術】
【０００２】
幾らかの力量により身体の向きを変える、即ち回転させる複数のマットレスが知られている。これらのマットレスは多くの場合、各患者の支援を目的として複数の医療施設で見受けられる。これらのマットレスの一部は、患者が一定期間、一回ごとに、左側または右側に向きを変えてから平面位または仰臥位に再び戻る、寝返り支援機能と呼ばれる機能を備えている。幾つかのマットレスは、一度横方向ローテーション機能が開始すると、患者が周期的に左右に繰り返し向きを変える、横方向ローテーション機能を備えている。これは場合によって、横方向ローテーションセラピーと呼ばれる。これらの機能の一つまたは両方を備える各マットレスは、通常、多数の空気袋と、様々な機能を実現するために各エアマットレスの各空気袋を膨張させるポンプ、圧縮機、または送風機といった空気源とを有している。幾つかのマットレスは、全体的に人を支えるよう膨張する空気袋一式と、特定のエアマットレスの設計によって各マットレスの横方向の回転および／または寝返り支援機能を与えるように常時膨張または常時収縮する他の空気袋一式とを備える。
【０００３】
ローエアロス機能などのマイクロクライメート制御（microclimate control）を備えたマットレスもまた知られている。マイクロクライメート制御またはローエアロスを備えた幾つかのマットレスは、残りのマットレス構成部品の上に薄い包み又は層を有しており、身体の皮膚から湿気を逃すように空気はこの層を通って循環される。次に、循環空気は層の各側部、端部および／または下側にある通路または穴を通って周囲空気に放出される。ローエアロス機能を持つ他の種類のマットレスは、患者の体を冷却するためおよび／または直接の空気衝突によって湿気を患者から取り除くために空気が直接患者に向かって放出するように、上面に複数の小さな穴を有してもよい。ローエアロス型マットレスのいずれのタイプにおいても、おおむね一定の気流をローエアロス層に供給するために、ある種の空気源が操作状態または「オン」状態のままとなる。薄い上層よりも厚みがあり、横方向に伸びる多数の個々の空気袋から成るローエアロス型マットレスもまた知られており、各マットレスの上面上あるいはその近くに複数の穴を備え、その穴から空気がマットレスによって支持されている人に向けて直接放出されるタイプである傾向が高い。他のタイプのローエアロス型マットレスは、マットレスのベッドカバーの内側に穴の開いたホースまたは管を有するものであるが、外側にベッドカバー内に含まれる一式の身体支持用空気袋を有するものである。空気は、ベッドカバーの内側にある穴の開いたホースまたは管から放出され、ベッドカバーを通って患者から湿気を奪うためにベッドカバーを通って循環し、次に空気は、例えばプラスチック製のジッパーの歯部分の間にある各穴、またはベッドカバーに具備されている個別の各穴を通って、一つ以上の通路を抜けてベッドカバーの内側から放出される。
【発明の概要】
【課題を解決するための手段】
【０００４】
本発明は、添付の各請求項に列挙した各特徴のうちの一つ以上、および／または以下の各特徴のうち一つ以上を有する装置またはシステムを備え、各特徴は、単独でまたは任意の組み合わせで特許性のある主題を構成する。
【０００５】
身体を支持する身体支持装置は、身体を支持するために膨張可能な空気袋一式を有することができる。空気袋一式には、一つの空気袋または複数の空気袋を含むことができる。従って、幾つかの実施形態において、空気袋一式には第一空気袋と第二空気袋を含むことができる。身体支持装置はまた、身体の片側に向かって身体の向きを変えるために膨張可能な少なくとも一つの回転用空気袋を備えることができる。回転用空気袋は、寝返り支援または連続横方向ローテーションセラピー用として、もしくはその両方のために使用できる。
【０００６】
身体支持装置には、第一空気源と第二空気源を有しうる制御システムを含むことができる。制御システムは、第一空気源が第一空気袋に空気を供給し、第二空気源が第二空気袋に空気を供給する第一操作モードを有することができる。制御システムはまた、第一および第二空気源の両方が少なくとも一つの回転用空気袋に空気を供給する第二操作モードを有することもできる。
【０００７】
幾つかの実施形態において、第二空気袋は第一空気袋の上に位置する。少なくとも一つの回転用空気袋は、幾つかの実施形態において第一空気袋と第二空気袋との間に位置し、別の実施形態においては第一空気袋の下に位置してもよい。さらに他の実施形態においては、回転用空気袋は第一および第二空気袋の両方の下に位置してもよい。第二空気袋は、ローエアロス機能を備えた空気袋または層など、マイクロクライメート制御の空気袋またはマイクロクライメート層を備えることができる。別の実施形態において、ローエアロス層または空気袋などのマイクロクライメート装置または穴が開いた管を、第一および第二空気袋に加えて設けることができる。
【０００８】
制御システムは、第一空気源に結合された第一バルブと、第二空気源に結合された第二バルブとを有することができる。第一バルブは、第一空気源からの空気が第一空気袋に供給される第一の位置を有することができ、また第一空気源からの空気が少なくとも一つの回転用空気袋に供給される第二の位置を有することもできる。第二バルブは、空気が第二空気源から第二空気袋に供給される第三の位置を有することができ、また、第二空気源からの空気が少なくとも一つの回転用空気袋に供給される第四の位置を有することもできる。
【０００９】
本開示によると、制御システムは第三バルブをさらに備えてもよく、少なくとも一つの回転用空気袋は右回転用空気袋および左回転用空気袋を備えてもよい。第三バルブは、第一および第二空気源から第三バルブによって収容された空気が右回転用空気袋に供給される第五の位置を有していてもよい。第三バルブは、第一および第二空気源から第三バルブによって収容された空気が左回転用空気袋に供給される第六の位置を有していてもよい。
【００１０】
第一空気袋は、複数の空気袋を備えることができる。第二空気袋は、複数の空気袋を備えることができる。幾つかの実施形態においては、複数の第一および／または第二空気袋は、例えば、マットレスの頭部、座部、太腿部、および足部に対応してもよい。第一および第二空気源はそれぞれ、ポンプ、圧縮機、または送風機のうち少なくとも一つを備えることができる。第一空気源は、第二空気源とは違う空気源のタイプであってもよい。従って、例えば、第一空気源は圧縮機、第二空気源は送風機であってもよい。これらのタイプの空気源の全ての置換や組み合わせも、本開示の範囲内であることを意図している。
【００１１】
それぞれの左右の寝返り支援機能を達成するために、左回転用空気袋および右回転用空気袋を膨張させることができる。従って、制御システムは、制御システムの寝返り支援機能をユーザーが起動させるのに応じて、一回ごとに所定の時間の間、左回転および右回転用空気袋のうちの指定された一つを膨らんだ状態に膨張させることができる。所定の時間が経過した後、場合によって膨張された左回転用または右回転用空気袋は制御システムによって収縮する。別の実施形態において、左回転用空気袋と右回転用空気袋は通常は両方ともに膨張することができ、その場合、制御システムは、右側への寝返り支援機能を達成するために左回転用空気袋を収縮し、左側への寝返り支援機能を達成するために右回転用空気袋を収縮させることができる。
【００１２】
左回転用空気袋および右回転用空気袋は、横方向ローテーションセラピー機能を達成するために交互に膨張および収縮することができる。従って、制御システムは、制御システムの横方向ローテーションセラピー機能をユーザーが起動させるのに応じて、左回転用および右回転用空気袋を繰り返しかつ交互に膨張およぶ収縮させることができる。各回転用空気袋は、幾つかの実施形態において寝返り支援用空気袋として、またローテンション用空気袋として使用できる。ユーザーの入力により、各回転用空気袋が制御システムによって寝返り支援空気袋として、または横方向ローテーション用空気袋として制御されるべきかどうかを示すために、制御システムに各入力信号を与えることができる。
【００１３】
本開示によると、別の実施形態において、制御システムは第一空気源からの空気が第一空気袋に供給される第一の位置と、第一空気源からの空気が第二空気袋に供給される第二の位置との間で移動可能な第一バルブを有することができる。この実施形態において、第二空気源は少なくとも一つの回転用空気袋に結合できる。第二空気源は、少なくとも一つの回転用空気袋を収縮させるためのオフ状態を有することができ、また少なくとも一つの回転用空気袋を膨張させるためのオン状態を有することができる。従って、第一空気源は、第一および第二空気袋の膨張専用であってもよく、第二空気源は少なくとも一つの回転用空気袋の膨張専用であってもよい。
【００１４】
少なくとも一つの回転用空気袋は、右回転用空気袋と左回転用空気袋を備えることができ、制御システムは第二空気源に結合される第二バルブを備える。第二バルブは、第二空気源がオン状態の場合に空気が第二空気源から右回転用空気袋に供給される第三の位置を有することができ、第二バルブはまた、第二空気源がオン状態の場合に第二空気源からの空気が左回転用空気袋に供給される第四の位置を有することもできる。
【００１５】
追加的な特徴は、上記に列挙した特徴および請求項に列挙した特徴など、単独または他の任意の特徴と組み合わせて特許性のある主題を備えることができ、当業者にとっては、現時点で理解される各実施形態を実施する最良の形態を例示しているさまざまな実施形態の以下の詳細な説明を考察することにより明らかとなるであろう。
【００１６】
詳細な説明は特に以下の図を参照する。
【図面の簡単な説明】
【００１７】
【図１】本開示による身体支持装置の第一実施形態のブロック図であり、患者支持装置の様々な空気袋に空気を供給するために使用される複数の空気源を備えている身体支持装置を示す。
【図２】本開示による身体支持装置の第二実施形態のブロック図であり、少なくとも一つの回転用空気袋の膨張専用である空気源と、少なくとも一つのマイクロクライメート空気袋および少なくとも一つの主要部支持用空気袋に空気を供給するために使用される他の空気源とを有する患者支持装置を示す。
【図３】患者支持装置の第一および第二実施形態に含まれる電気制御システムのブロック図である。
【発明を実施するための形態】
【００１８】
本開示によるエアマットレスなどの患者支持装置１０は、図１に図示されるように、一式の主要部支持用空気袋１２、左回転用空気袋１４、右回転用空気袋１６、および少なくとも一つのマイクロクライメート装置１８を含む。幾つかの実施形態において、空気袋１２、１４、１６、および少なくとも一つのマイクロクライメート装置１８は、当該技術分野では周知のようにベッドカバー、枠部、ティッキングまたはエンケースメントとも呼ばれる外被（不図示）内に包含されている。防火層または中敷、発泡体基層、発泡体の側部補助枕、および／または膨張可能な側部補助枕などの追加的な各マットレス要素を、マットレスの一部として選択的に含めることもできる。これらの追加構成部品は通常、外被とともに包含される。マイクロクライメート装置１８は外被の上に置いて、例えばジッパーなどの適切なファスナーによって外被に結合することができる。
【００１９】
主要部空気袋１２の一式は、幾つかの実施形態において、単一の空気袋１２だけを含んでもよい。しかしながら、別の実施形態においては、主要部空気袋１２が複数存在する。主要部空気袋１２は複数のゾーンに分類することができ、例えば、マットレス１０上に横たわった人の頭部および上部胴体領域を支持することが通常予想される一つ以上の空気袋１２を含む頭部ゾーン、マットレス１０上に横たわった人の臀部領域を支持することが通常予想される一つ以上の空気袋１２を含む座部ゾーン、マットレス１０上に横たわった人の太腿を支持することが通常予想される一つ以上の空気袋１２を含む太腿ゾーン、およびマットレス１０上に横たわった人の膝から足までを支持することが通常予想される一つ以上の空気袋１２を含む足部ゾーンなどがある。
【００２０】
マイクロクライメート装置１８は、幾つかの実施形態において、一つ以上のマイクロクライメート制御用空気袋を備える。このようなマイクロクライメート空気袋は、各主要部空気袋１２の一部または全体の上に位置するマイクロクライメート層を設けるように構成できる。マイクロクライメート層は、幾つかの実施形態において外被の上層のすぐ下に、別の実施形態においては外被の上層の上に位置付けることもできる。幾つかの実施形態において、マイクロクライメート層は、Spacenet（登録商標）材料などの圧壊耐性材料または材料を通って空気が送り込まれる他のタイプの材料を含む一つ以上の三次元のファイバー網を有することができる。Spacenet（登録商標）材料は、米国特許第７,４８０,９５３号、第５,７３１,０６２号および第５,４５４,１４２号において説明されており、その教示内容について上記の各特許の全てを参照により本明細書に引用する。本開示で熟考されるマイクロクライメート層は、ある程度包みのように製作することも、または空気が流れるが任意の空気袋または任意の包みの内部には位置していない一つ以上のシート材料のみを含むこともできる。さらなる他の実施形態において、マイクロクライメート装置１８は、マットレス外被の内部領域内に位置する一つ以上の穴が開いた管またはホースを含む。
【００２１】
患者支持装置１０は、図１に図示されるように、第一空気源２２および第二空気源２４を有する空気圧式制御システム２０を含む。図１に示される空気源２２、２４の配置は、物理的位置を示すことではなく、本明細書に記載の構造や操作を図式的に伝達することを意味している。第一および第二空気源２２、２４は共同または別々に、また患者支持体１０のいずれのサイドにも配置されることが意図されている。各空気源２２、２４は、ポンプ、圧縮機、送風機、または空気を圧搾するその他の類似の装置を備えてもよい。空気圧式制御システム２０は、第一回転バルブ３０、通気バルブ３２、および主要部支持用空気袋のバルブ３４、３６、３８、および４０を含む第一空気源２２に結合された第一バルブ配置２６をさらに備える。空気圧式制御システム２０はまた、第二空気源２４に結合される第二回転バルブ２８を含む。第一バルブ配置は、第一回転バルブ３０、通気バルブ３２、および患者支持体１０に搭載された各支持用空気袋１２の数と相関する任意の数の支持用空気袋のバルブを含みうることが意図されている。さらに、空気圧式制御システム２０は、第一回転バルブ３０、第二回転バルブ２８、および回転用空気袋１４、１６に結合された回転方向バルブ４２を含む。
【００２２】
第一バルブ配置２６における各バルブは、それぞれのバルブを通して空気が流れ込むことができる開いた位置と、それぞれのバルブを通して空気が流れ込むことのできない閉じた位置との間を移動する。第一回転バルブ３０は、導管５６を通して、第一空気源２２を回転方向バルブ４２に空気圧で結合する。通気バルブ３２は、第一空気源２２を、患者支持体１０を取り囲む大気に空気圧で結合する。主要部支持用空気袋のバルブ３４、３６、３８、４０は、第一空気源２２を主要部支持用空気袋１２に空気圧で結合する。
【００２３】
第二回転バルブ２８は、導管５８を通って第二空気源２４がマイクロクライメート装置１８に空気圧で結合される第一位置と、導管６０を通って第二空気源２４が回転方向バルブ４２に空気圧で結合される第二位置との間で移動する。回転方向バルブ４２は、バルブが第一回転バルブ３０と第二回転バルブ２８を左回転用空気袋１４に空気圧で結合する第一位置と、バルブが第一回転バルブ３０と第二回転バルブ２８を左回転用空気袋１６に空気圧で結合する第二位置との間を移動する。図１に示されるバルブの配置は、物理的位置を示すことを意味していない。全てのバルブは一つに積み上げても、個別に取り付けても、または積上げと個別取付けのバルブを組み合わせてもよいことが意図される。
【００２４】
空気圧式制御システム２０の操作は、図３に示す制御装置４４によって管理される。制御装置４４は、各ユーザー入力４６と各圧力センサー入力４８を受け取る。制御装置４４の出力バルブは、各信号５０および各空気源制御信号５２を制御する。制御装置４４への各ユーザー入力４６には、支持用空気袋１２の所望の圧力、回転用空気袋１４、１６の所望の膨張、マイクロクライメート装置１８の所望の噛み合い、あるいは、所望の圧力またはセラピーの計算に使用されうる患者特有の各要因が含まれうる。各圧力センサー入力４８には、支持用空気袋１２の内側の圧力、回転用空気袋１４、１６、またはマイクロクライメート装置１８が含まれうる。圧力センサー入力４８は、任意のバルブ、任意の空気袋１２、１４、１６、またはマイクロクライメート装置１８における空気圧式制御システム２０回路のどこにでも位置付けられる圧力センサーによって供給できる。制御装置４４によって決定される各バルブ制御信号５０は、空気圧式制御システム２０におけるそれぞれの開いた／閉じた位置または第一と第二の位置との間でバルブを移動させる。制御装置４４によって決定される各空気源制御信号５２は、第一空気源２２および第二空気源２４の電源をオン／オフにする。制御装置４４は、電源５４からのエネルギーを受領する。電源５４は、壁コンセント、電池パック、発電機、または任意の他の適切な電力源の任意の一つまたはその組み合わせでもよい。
【００２５】
制御装置４４による空気圧式制御システム２０の操作には、三つの制御モードが含まれる。第一の「標準支持」モードにおいて、制御装置４４は支持用空気袋１２を監視および調整し、マイクロクライメート装置１８セラピーを操作できる。第二の「寝返り支援」モードは、回転用空気袋１４、１６のうちの一つ膨張に影響を与える。第三の「回復」モードは、以前に膨張された回転用空気袋１４、１６を収縮する。制御装置４４は、ユーザー入力４６および圧力センサー入力４８に基づき、操作中いつでも任意の三つのモードに従事することができる。例えば、連続横方向ローテーションセラピーを実施するために、第二モードと第三モードは回転用空気袋１４、１６の膨張および収縮を交互に行うことができる。
【００２６】
制御装置４４は、各ユーザー入力４６から回転用空気袋１４、１６の膨張または収縮が望ましいかどうかを決定する。回転用空気袋１４、１６の膨張または収縮が望ましくない場合、制御装置４４は第一モードで操作される。第一操作モードにおいて、制御装置４４は支持用空気袋１２の所望の圧力を呼応する圧力センサー入力と定期的に比較する。各圧力センサー入力４６によって支持用空気袋１２の圧力が望ましいレベルよりも低いことが示される場合、制御装置４４は空気圧式制御システム２０を操作して支持用空気袋１２の圧力を増加させる。各圧力センサー入力４６によって支持用空気袋１２の圧力が望ましい圧力よりも高いことが示される場合、制御装置４４は空気圧式制御システム２０を操作して支持用空気袋１２の圧力を減少させる。各圧力センサー入力４６によって支持用空気袋１２の圧力が望ましい圧力であることが示される場合、制御装置４４は空気圧式制御システム２０を操作して支持用空気袋１２の圧力を維持する。さらに、制御装置４４は各ユーザー入力４６からマイクロクライメートの修正が望ましいかどうかを決定する。マイクロクライメートの修正が望ましい場合、制御装置４４は空気圧式制御システム２０を操作してマイクロクライメート装置１８を作動させる。
【００２７】
制御装置４４により回転用空気袋１４、１６の膨張が望ましいと決定される場合、次に制御装置４４は第二操作モードに入る。第二操作モードにおいて、制御装置４４は第一および第二空気源２２、２４を作動させ、空気源２２、２４を所望の回転用空気袋１４、１６に空気圧で結合するために、空気圧式制御システム２０のバルブを操作する。次に、制御装置４４は、望ましい、完全に膨張された回転用空気袋１４、１６の圧力を対応する各圧力センサー入力４６と比較する。各圧力センサー入力４６によって回転用空気袋１４、１６の圧力が望ましい圧力よりも低いことが示される場合、制御装置４４は空気圧式制御システム２０を操作して回転用空気袋１４、１６の圧力を増加させる。各圧力センサー入力４６によって回転用空気袋１４、１６の圧力が望ましい圧力よりも高いことが示される場合、制御装置４４は空気圧式制御システム２０を操作して回転用空気袋１４、１６の圧力を減少させる。
【００２８】
制御装置４４により回転用空気袋１４、１６の収縮が望ましいと決定された場合、次に制御装置４４は第三操作モードに入る。第三操作モードにおいて、制御装置４４は空気圧式制御システム２０を操作して膨張された回転用空気袋１４、１６を収縮する。さらに第三モードにおいて、制御装置４４は各ユーザー入力４６からマイクロクライメートの機能が望ましいかどうかを決定する。マイクロクライメートの機能が望ましい場合、制御装置４４は空気圧式制御システム２０を操作してマイクロクライメート装置１８を作動させる。
【００２９】
第一操作モードにおいて、制御装置４４は、第一回転バルブ３０を閉じた位置に、第二回転バルブ２８を第一の位置に移動させ、第二空気源２４をマイクロクライメート装置１８に空気圧で結合する。さらに、第一空気源２２、通気バルブ３２、および支持用空気袋バルブ３４、３６、３８、４０は、主要部支持用空気袋１２の圧力を増加、減少、維持するように制御装置４４によって信号が送られる。第一空気源２２を作動させ、通気バルブ３２を閉じ、少なくとも一つの支持用空気袋のバルブ３４、３６、３８、４０を開くことにより、支持用空気袋１２の圧力を増加させることができる。通気バルブ３２を開き、少なくとも一つの支持用空気袋のバルブ３４、３６、３８、４０を開くことにより、支持用空気袋１２の圧力を減少させることができる。また、支持用空気袋１２の圧力が減少する間に第一空気源２２を止めるか、支持用空気袋１２の圧力減少率を低下させるために空気源２２を作動させることができる。制御装置４４は、支持用空気袋のバルブ３４、３６、３８、４０を全て閉じることで、支持用空気袋１２内の圧力を維持できる。各々の支持用空気袋のバルブ３４、３６、３８、４０は、主要部支持ゾーン内の個別の空気袋または空気袋一式に結合され、個別に操作されてもよく、これにより異なる圧力が対応する各空気袋または対応する各ゾーンにおいて達成されうる。さらに第一操作モードにおいて、第二空気源２４はマイクロクライメート装置１８に空気を供給する機能を果たす。制御装置４４は、第二空気源２４を作動させてマイクロクライメート装置１８を通って空気を送り込むか、またはマイクロクライメート機能が望ましくない場合には第二空気源２４を止めてもよい。
【００３０】
第二操作モードにおいては、回転用空気袋１４、１６のうちの一つの膨張が望ましく、第一空気源２２と第二空気源２４の両方を同時に使用して回転用空気袋１４、１６を膨張させる。第一回転バルブ３０を開いた位置に移動させ、第一空気源２２を回転方向バルブ４２に空気圧で結合する。さらに、各主要部支持用空気袋１２の圧力を維持するために、支持用空気袋のバルブ３４、３６、３８、４０を閉じた位置に移動させる。さらに、回転用空気袋１４、１６の膨張中、第二回転バルブ２８を第二の位置に移動させ、第二空気源２４を回転方向バルブ４２に空気圧で結合する。第二回転バルブ２８のこの配置は、マイクロクライメート装置１８への空気の流れを止める。所望の回転用空気袋１４、１６の圧力が完全に膨張した空気袋の圧力未満である場合、通気バルブ３２を閉じた位置に移動させる。所望の空気袋１４、１６の圧力が完全に膨張した空気袋の圧力よりも高い場合、制御装置４４は通気バルブ３２を開いてもよい。圧力が完全に膨張した回転用空気袋よりも高い場合、制御装置４４はまた、第一空気源２２と第二空気源２４の任意の組み合わせを止めてもよい。第二操作モードにおいて、制御装置４４は回転方向バルブ４２を操作して、左回転用空気袋１４または右回転用空気袋１６のどちらを膨張させるか決定する。図１において、第二操作モードは、第一の位置にある回転方向バルブ４２によって、左回転用空気袋１４を膨張させるために第一空気源２２と第二空気源２４に空気圧で結合することを示している。
【００３１】
第三操作モードにおいては、回転用空気袋１４、１６のうちの一つ収縮が望ましく、通気バルブ３２は膨張した回転用空気袋１４、１６を通気させるために使用される。制御装置４４は第一回転バルブ３０および通気バルブ３２を開き、回転方向バルブを大気に空気圧で結合する。制御装置はまた、収縮するべき回転用空気袋１４、１６に対応する第一または第二の位置のいずれかに、回転方向バルブ４２を移動する。従って、収縮される回転用空気袋１４、１６は、大気に空気圧で結合されて収縮する。回転用空気袋１４、１６の収縮中に支持用空気袋１８における圧力を維持するために、主要部支持用空気袋のバルブ３４、３６、３８、４０は閉じられる。回転用空気袋１４、１６の圧力が減少される間、第一および第二空気源２２、２４は止まっている。制御装置４４によって空気袋収縮中にマイクロクライメート機能が望ましいと決定される場合、第二空気源２４をマイクロクライメート装置１８に空気圧で結合する第一の位置に移動するよう制御装置４４から第二回転バルブ２８に信号が送られ、制御装置４４が第二空気源２４を作動させる。第二回転バルブ２８を第一の位置に移動させることで、第二回転バルブ２８を通じて膨張した回転用空気袋１４、１６の収縮もまた可能となる。
【００３２】
図２は、別の実施形態の概略図であり、第一空気源１２２は主要部支持用空気袋１２およびマイクロクライメート装置１８に対して圧搾空気を供給し、その一方で、第二空気源１２４は左右回転用空気袋１４、１６に対して圧搾空気を供給する。この構成は、第二空気源１２４が回転用空気袋１４、１６の膨張に対する圧搾空気の唯一の供給源であるという点で、図１の実施形態とは異なる。構造的に、第一回転バルブ３０はマイクロクライメートバルブ１３０で置き換えられ、第二回転バルブ２８は除去されている。第二実施形態において、マイクロクライメートバルブ１３０は、導管１５６を通して第一空気源１２２をマイクロクライメート装置１１８に空気圧で結合させる。また、回転バルブ１４２は、導管１５８を通って第二空気源１２４が左回転用空気袋１１４に空気圧で結合される第一の位置と、導管１６０を通って第二空気源１２４が右回転用空気袋１１６に空気圧で結合される第二の位置との間で移動する。
【００３３】
操作中、図２の配置により、回転用空気袋１１４、１１６の膨張または収縮中にマイクロクライメート装置１１８を使用することができる。また、回転用空気袋１１４、１１６の膨張または収縮中に、主要部支持用空気袋１１２の圧力は回転用空気袋１１４、１１６の膨張または収縮を中断することなく修正することができる。従って、第一実施形態において説明された三つのモードは、図２の交互配置によって修正される。しかしながら、第一実施形態と同様に、制御装置４４はユーザーの各入力に基づき、別の実施形態の操作中いつでも、任意の三つの修正されたモードに従事することができる。例えば、連続的な横方向ローテーションセラピーを実施するために、第二モードと第三モードによって回転用空気袋１１４、１１６の膨張および収縮を交互に行うことができる。
【００３４】
従って、図２の第一の「標準支持」モードにおいては、第一空気源１２２が作動され、主要部支持用空気袋１１２とマイクロクライメート装置１１８の両方に所望の空気を与える。第二空気源１２４が止まる。第二の「寝返り支援」モードにおいては、第二空気源１２４が作動され、回転用空気袋１１４、１１６のうちの一つの膨張をもたらすために回転方向バルブ１４２を移動させる。回転用空気袋１１４、１１６のうちの一つの膨張中でも、第一空気源１２２は引き続き主要部支持用空気袋１１２およびマイクロクライメート装置１１８に空気を供給し続けることができる。第三の「回復」モードにおいては、回転方向バルブ１４２によって、バルブ１４２を通して膨張した回転用空気袋１１４、１１６の収縮が可能となる。第二空気源１２４を止めてもよい。また、第一空気源１２２は、主要部支持用空気袋１１２およびマイクロクライメート装置１１８に空気を供給し続けることができる。
【００３５】
ある特定の例示的な実施態様に関して患者支持装置１０の装置および操作を詳細に説明してきたが、下記の請求項で説明および画定される本開示内容の範囲および思想の範囲内で、変更物および改良物が存在する。
【図１】
2010246903.tif 000003
【図２】
2010246903.tif 000004
【図３】
2010246903.tif 000005
【外国語明細書】
2010246903.tif 000006
2010246903.tif 000007
2010246903.tif 000008
2010246903.tif 000009
2010246903.tif 000010
2010246903.tif 000011
2010246903.tif 000012
2010246903.tif 000013
2010246903.tif 000014
2010246903.tif 000015
2010246903.tif 000016
2010246903.tif 000017
2010246903.tif 000018
2010246903.tif 000019
2010246903.tif 000020
2010246903.tif 000021
2010246903.tif 000022
2010246903.tif 000023
2010246903.tif 000024